(57)【要約】      （修正有）【課題】高所設置物を昇降する際、モーターを用いない簡単な構成で、支柱横断面サイズを比較的小さくするとともに、容易に昇降できるようにし、しかも安価で長寿命の構成とする。【解決手段】カウンターウエイト１３の上端部では、角鋼管で形成された本体部１３０の側面に４本のアクリル樹脂製回転阻止バー１５１、１５２、１５３及び１５４が交差して、その内側が正方形を描くように組まれ、それぞれが本体部の各側面に螺着されて、回転阻止部を構成している。カウンターウエイト１３はさらに、本体部の、開口部１３１側の側面に、角形鋼管の把手１６を有し、それが該側面に、上端部、下端部及び中間部の３箇所において、短い角形鋼材のスペーサ１６０を介し溶着されている。カウンターウエイト１３の側面の上端部及び下端部にはそれぞれピン１７１及び１７２が立設され、それらにラッチ機構１７３及び１７４の回動部が軸支されている。【選択図】図３
2007320748.tif 000002
【特許請求の範囲】
【請求項１】
立設され横断面が矩形の中空支柱の上部に、高所設置物が係止され、該高所設置物を昇降させる支柱型高所設置物昇降装置において、
該中空支柱に遊挿され上下方向に延在し、該中空支柱の内壁に沿って昇降するカウンターウエイトと、
一端が該カウンターウエイトの上端部に係着され、他端が該高所設置物に係着されたロープと、
該カウンターウエイトの上方位置と該高所設置物の上方位置とに配設され、該ロープが掛けられて該ロープを案内する第１及び第２のプーリーと、
該高所設置物を上限位置に保持する保持手段と、
該中空支柱の側面に形成され該カウンターウエイトを把持して昇降操作するための開口部と、
を有し、該カウンターウエイトは、
該中空支柱内に遊挿され上下方向に延在する本体部と、
該本体部の上下方向の２箇所の位置のそれぞれに設けられ、該本体部を該中空支柱と同心にしたときに該中空支柱の横断面に内接する円の外側まで該本体部から突設された回転阻止部と、
を有し、
該開口が蓋で閉じられるようにしたことを特徴とする支柱型高所設置物昇降装置。
【請求項２】
該カウンターウエイトの重量は該高所設置物の重量に略等しく、該カウンターウエイトと該開口とは、該高所設置物上端が地上高さ２ｍ以下の下限まで降下している状態で該カウンターウエイト下端部が該開口の上下端間に位置する関係にある、
ことを特徴とする請求項１に記載の支柱型高所設置物昇降装置。
【請求項３】
該カウンターウエイトと該開口とは、該高所設置物上端が上限位置の状態で該カウンターウエイト上端部が該開口の上下端間に位置する関係にある、
ことを特徴とする請求項２に記載の支柱型高所設置物昇降装置。
【請求項４】
該本体部は角柱部材で構成され、
該回転阻止部は、該角柱部材の各側面について上端部と下端部の各々に、該角柱部材の長手方向と直角に該側面に固着されたバーを有する、
ことを特徴とする請求項３に記載の支柱型高所設置物昇降装置。
【請求項５】
該バーはアクリル樹脂で形成されていることを特徴とする請求項４に記載の支柱型高所設置物昇降装置。
【請求項６】
該本体部はさらに、該開口部側の側面に、該側面の長手方向中央線に沿って該側面と平行に固着された把手長尺部材を有する、
ことを特徴とする請求項１乃至４のいずれか１つに記載の支柱型高所設置物昇降装置。
【請求項７】
該把手長尺部材は該角柱部材の該開口部側の側面から離間して配置されていることを特徴とする請求項６に記載の支柱型高所設置物昇降装置。
【請求項８】
該本体部は、その側面に固着された調整錘を有することを特徴とする請求項３乃至７のいずれか１つに記載の支柱型高所設置物昇降装置。
【請求項９】
該保持手段は、回動自在に支持され、回動方向に係合凹部が形成された掛止具と、ピン部材とをさらに有し、該掛止具と該ピン部材との一方が該カウンターウエイトの上部及び下部の側面に固着され、該掛止具と該ピン部材との他方が該中空支柱の内壁面に固着され、
該高所設置物が下限位置まで下降した時に該掛止具が該ピン部材に押されて該掛止具が回動し該係合凹部に該ピン部材が係合して該高所設置物の上下方向移動を阻止するように該掛止具が形成されている、
ことを特徴とする請求項３乃至８のいずれか１つに記載の支柱型高所設置物昇降装置。
【請求項１０】
該中空支柱は横断面が矩形であり、
該回転阻止部は、車側面が該本体部の長手方向と平行となり車外周面が該中空支柱の４つの内壁面のそれぞれと対向するように配設された被案内車を有する、
ことを特徴とする請求項３に記載の支柱型高所設置物昇降装置。
【請求項１１】
該中空支柱は横断面が矩形であり、
該本体部は、該中空支柱の４隅のそれぞれに対応して互いに平行に配置された第１〜４棒部材と、該第１〜４棒部材をそれらの上端部及び下端部で互いに固定する固定部材とを有し、
該固定部材に該回転阻止部が固着されている、
ことを特徴とする請求項３に記載の支柱型高所設置物昇降装置。
【発明の詳細な説明】
【技術分野】
【０００１】
本発明は、支柱上部に設置される街路灯や看板等の高所設置物を昇降させる支柱型高所設置物昇降装置に関する。
【背景技術】
【０００２】
街路灯や看板等の高所設置物のメンテナンスを容易にするために、高所設置物を昇降式にしたものが提案されている。
【０００３】
下記特許文献１には、バランスウエイトと灯具とをそれぞれ第１及び第２のワイヤロープに連結し、第１及び第２のワイヤロープをそれぞれ同軸一体で径の異なるドラムに巻回し、このドラムをモーターで回転駆動することにより、灯具を昇降させる構成が開示されている。
【０００４】
しかし、モーターで駆動するので、設備が高価になるとともに、モーターのメンテナンスも必要になる。また、バランスウエイトが大形であり、安全のためにはバランスウエイトを囲繞する必要があるので、装置が大形になる。
【０００５】
下記特許文献２には、灯具に挟持ローラーを備え、支柱の１面をレールとし、挟持ローラーでレールを挟持し、ローラー支持台をループ状ワイヤロープに連結し、ワイヤロープを駆動プーリーに巻き掛け、ウォームホイールとウォームを介し駆動プーリーをモーターで回転駆動することにより、灯具を昇降させる構成が開示されている。
【０００６】
しかし、防雨用カバーで支柱及び灯具を覆う必要があるので、横断面サイズが大きくなる。また、モーターで駆動するので、上記同様の問題が生ずる。この問題を解消するため、駆動プーリーを手動回転させる構成にすれば、ウォームホイールとウォームを介し駆動プーリーを回転させなければならないので、減速比が大きく、昇降速度が遅くなり過ぎる。ウォームホイールとウォームを省略して上記バランスウエイトを用いる構成も考えられるが、上述のように装置が大形になる。また、昇降距離が比較的長いので、ワイヤロープを手で把持して昇降させなければならず、操作性が悪い。
【０００７】
下記特許文献３には、看板と巻取ドラムとの間をワイヤロープで連結し、ワイヤロープをプーリーに掛け、巻取ドラムを手動ウインチで回転駆動することにより、看板を昇降させる構成が開示されている。
【０００８】
しかし、実際には減速比の大きいウォームホイールとウォームを用いざるを得ず、上記同様の問題が生ずる。また、看板落下に対しストッパーを備えているが、看板を昇降させる必要があるのでストッパー位置が比較的低く、落下防止が不充分である。
【特許文献１】特開２０００−１１７１０号公報
【特許文献２】特開平６−１７６６１４号公報
【特許文献３】実開平７−１６９７３号公報
【発明の開示】
【発明が解決しようとする課題】
【０００９】
本発明の目的は、上記問題点に鑑み、モーターを用いない簡単かつ安価な構成で、支柱横断面サイズを比較的小さくすることができるとともに、容易に昇降させることができる支柱型高所設置物昇降装置を提供することにある。
【００１０】
本発明の他の目的は、メンテナンスが容易な支柱型高所設置物昇降装置を提供することにある。
【００１１】
本発明のさらに他の目的は、安価で長寿命の支柱型高所設置物昇降装置を提供することにある。
【課題を解決するための手段】
【００１２】
本発明による支柱型高所設置物昇降装置の第１態様では、
立設され横断面が矩形の中空支柱の上部に、高所設置物が係止され、該高所設置物を昇降させる支柱型高所設置物昇降装置において、
該中空支柱に遊挿され上下方向に延在し、該中空支柱の内壁に沿って昇降するカウンターウエイトと、
一端が該カウンターウエイトの上端部に係着され、他端が該高所設置物に係着されたロープと、
該カウンターウエイトの上方位置と該高所設置物の上方位置とに配設され、該ロープが掛けられて該ロープを案内する第１及び第２のプーリーと、
該高所設置物を上限位置に保持する保持手段と、
該中空支柱の側面に形成され該カウンターウエイトを把持して昇降操作するための開口部と、
を有し、該カウンターウエイトは、
該中空支柱内に遊挿され上下方向に延在する本体部と、
該本体部の上下方向の２箇所の位置のそれぞれに設けられ、該本体部を該中空支柱と同心にしたときに該中空支柱の横断面に内接する円の外側まで該本体部から突設された回転阻止部と、
を有し、
該開口が蓋で閉じられる。
【００１３】
本発明による支柱型高所設置物昇降装置の第２態様では、第１態様において、
該カウンターウエイトの重量は該高所設置物の重量に略等しく、該カウンターウエイトと該開口とは、該高所設置物上端が地上高さ２ｍ以下の下限まで降下している状態で該カウンターウエイト下端部が該開口の上下端間に位置する関係にある。
【００１４】
本発明による支柱型高所設置物昇降装置の第３態様では、第２態様において、
該カウンターウエイトと該開口とは、該高所設置物上端が上限位置の状態で該カウンターウエイト上端部が該開口の上下端間に位置する関係にある。
【００１５】
本発明による支柱型高所設置物昇降装置の第４態様では、第３態様において、
該本体部は角柱部材で構成され、
該回転阻止部は、該角柱部材の各側面について上端部と下端部の各々に、該角柱部材の長手方向と直角に該側面に固着されたバーを有する。
【００１６】
本発明による支柱型高所設置物昇降装置の第５態様では、第４態様において、該バーはアクリル樹脂で形成されている。
【００１７】
本発明による支柱型高所設置物昇降装置の第６態様では、第１乃至４態様のいずれか１つにおいて、
該本体部はさらに、該開口部側の側面に、該側面の長手方向中央線に沿って該側面と平行に固着された把手長尺部材を有する。
【００１８】
本発明による支柱型高所設置物昇降装置の第７態様では、第６態様において、該把手長尺部材は該角柱部材の該開口部側の側面から離間して配置されている。
【００１９】
本発明による支柱型高所設置物昇降装置の第８態様では、第１乃至７態様のいずれか１つにおいて、該本体部は、その側面に固着された調整錘を有する。
【００２０】
本発明による支柱型高所設置物昇降装置の第９態様では、第３乃至８態様のいずれか１つにおいて、
該保持手段は、回動自在に支持され、回動方向に係合凹部が形成された掛止具と、ピン部材とをさらに有し、該掛止具と該ピン部材との一方が該カウンターウエイトの上部及び下部の側面に固着され、該掛止具と該ピン部材との他方が該中空支柱の内壁面に固着され、
該高所設置物が下限位置まで下降した時に該掛止具が該ピン部材に押されて該掛止具が回動し該係合凹部に該ピン部材が係合して該高所設置物の上下方向移動を阻止するように該掛止具が形成されている。
【００２１】
本発明による支柱型高所設置物昇降装置の第１０態様では、第３〜８態様において、
該中空支柱は横断面が矩形であり、
該回転阻止部は、車側面が該本体部の長手方向と平行となり車外周面が該中空支柱の４つの内壁面のそれぞれと対向するように配設された被案内車を有する。
【００２２】
本発明による支柱型高所設置物昇降装置の第１１態様では、第３態様において、
該中空支柱は横断面が矩形であり、
該本体部は、該中空支柱の４隅のそれぞれに対応して互いに平行に配置された第１〜４棒部材と、該第１〜４棒部材をそれらの上端部及び下端部で互いに固定する固定部材とを有し、
該固定部材に該回転阻止部が固着されている。
【発明の効果】
【００２３】
上記第１態様の構成によれば、カウンターウエイトが本体部と回転阻止部とを有し、該本体部は、中空支柱内に遊挿され上下方向に延在し、該回転阻止部は、該本体部の上下方向の２箇所の位置のそれぞれに設けられ、該本体部を該中空支柱と同心にしたときに該中空支柱の横断面に内接する円の外側まで該本体部から突設されているので、該本体部を案内するレール等を中空支柱内に設けることなく、簡単かつ安価な構成で、該カウンターウエイトが回転するのを阻止でき、しかも、カウンターウエイトを把持してこれを容易に昇降させることができるという効果を奏する。
【００２４】
また、昇降用モーターを用いていないので、安価に構成できるとともに、余分なメンテナンスが不要となるという効果を奏する。
【００２５】
さらに、ウォームホイールとウォームのギヤを用いる必要がないので、カウンターウエイトを比較的高速に昇降動作させることができるという効果を奏する。
【００２６】
また、上記構成からカウンターウエイトを比較的長くできるので、カウンターウエイトの横断面を狭くすることでき、横断面が比較的狭い、比較的スリムな中空支柱を用いることができるという効果を奏する。
【００２７】
また、カウンターウエイトを中空支柱地下部に入れることもできるので、比較的高い支柱型高所設置物昇降装置を構成することが可能となるという効果を奏する。
【００２８】
上記第２及び３態様の構成によれば、該カウンターウエイトの重量は該高所設置物の重量に略等しく、該カウンターウエイトと該開口とは、該高所設置物上端が地上高さ２ｍ以下の下限まで降下している状態で該カウンターウエイト下端部が該開口の上下端間に位置する関係にあり、かつ、該高所設置物上端が上限位置の状態で該カウンターウエイト上端部が該開口の上下端間に位置する関係にあるので、該開口部を介して該カウンターウエイトを把持し昇降させるだけで高所設置物を安定に昇降させることができるとともに、該開口を介して該カウンターウエイトのメンテナンスを容易に行うことができるという効果を奏する。
【００２９】
上記第４態様の構成によれば、該本体部は角柱部材で構成され、該回転阻止部は、該角柱部材の各側面について上端部と下端部の各々に、該角柱部材の長手方向と直角に該側面に固着されたバーを有するので、構成が簡単になるとともに、長寿命となり、しかも、より安価にかつより短時間で組み立てることができるので、実用的であるという効果を奏する。
【００３０】
上記第５態様の構成によれば、該バーはアクリル樹脂で形成されているので、該カウンターウエイトを昇降させる際に該回転阻止部が該中空支柱の内壁面に衝突しても、衝突音が小さくなり、かつ、該回転阻止部が長寿命でメンテナンス周期を長くできるという効果を奏する。
【００３１】
上記第６態様の構成によれば、該本体部はさらに、該開口部側の側面に、該側面の長手方向中央線に沿って該側面と平行に固着された把手長尺部材を有するので、該開口へ少し手を挿入すれば該把手長尺部材を把持でき、これにより該カウンターウエイトの昇降操作がさらに容易になるという効果を奏する。
【００３２】
上記第７態様の構成によれば、該把手長尺部材は該角柱部材の該開口部側の側面から離間して配置されているので、前記把持がさらに容易になるという効果を奏する。
【００３３】
上記第８態様の構成によれば、該本体部は、その側面に固着された調整錘を有するので、異なる重量の該高所設置物に対し調整錘を変えるだけで標準的なカウンターウエイトを用いることができ、装置製作コストを低減できるという効果を奏する。
【００３４】
上記第９態様の構成によれば、該保持手段が該中空支柱内に設けられているので、見栄えの悪化が防止されるとともに、該保持手段が雨水にさらされるのを防止できるという効果を奏する。また、該カウンターウエイトを昇降させるだけで該保持手段が作動して高所設置物を上限及び下限位置に固定でき、すなわち、必要な時に該カウンターウエイトを自動的に固定することができるので、作業性がよいという効果を奏する。
【００３５】
上記第１０態様の構成によれば、該中空支柱は横断面が矩形であり、該回転阻止部は、車側面が該本体部の長手方向と平行となり車外周面が該中空支柱の４つの内壁面のそれぞれと対向するように配設された被案内車を有するので、該車外周面を該中空支柱の４つの内壁面に接近させることができ、より安定に該カウンターウエイトを昇降させることができるという効果を奏する。
【００３６】
上記第１１態様の構成によれば、該中空支柱は横断面が矩形であり、該本体部は、該中空支柱の４隅のそれぞれに対応して互いに平行に配置された第１〜４棒部材と、該第１〜４棒部材をそれらの上端部及び下端部で互いに固定する固定部材とを有し、該固定部材に該回転阻止部が固着されているので、該カウンターウエイトへの調整錘の取付が容易であるという効果を奏する。
【００３７】
本発明の他の目的、構成及び効果は以下の説明から明らかになる。
【実施例１】
【００３８】
以下、図面に基づいて本発明の実施例を説明する。図面において、同一又は類似の要素には、同一又は類似の符号を付している。
【００３９】
図１は、本発明の実施例１の支柱型昇降式看板の一部縦断面図である。
【００４０】
この看板装置では、地中に掘った穴１０に、角形鋼管の支柱１１の下部が挿入され、その周囲にコンクリートが打設されて基礎コンクリート１２が構築されている。
【００４１】
支柱１１には、金属製カウンターウエイト１３が支柱１１に挿設されている。
【００４２】
図２（Ａ）はカウンターウエイト１３の構成を示す、一部を省略した縦断面図である。図２（Ｂ）及び（Ｃ）はそれぞれ図２（Ａ）中の２Ｂ−２Ｂ線及び２Ｃ−２Ｃ線に沿った横断面図である。
【００４３】
カウンターウエイト１３は、支柱１１内に遊挿され、上下方向に延在している本体部としての角形鋼管１３０と、その上端部及び下端部に配設された回転阻止部１５Ａ及び１５Ｂとを有し、その上端にはコ字型ブリッジ１４が溶着されている。支柱１１の側面にはカウンターウエイトを把持する開口部１１０が設けられており、開口部１１０には蓋１１１（図１）が取り付けされている。
【００４４】
カウンターウエイト１３の上端部では、本体部の側面に４本の回転阻止バー１５１、１５２、１５３及び１５４が交差して、その内側が正方形を描くように組まれ、それぞれが本体部１３０の各側面に螺着されて、回転阻止部１５Ａを構成している。図２（Ａ）中の１５３１及び１５３２は、回転阻止バー１５３の該螺着に用いられるねじである。カウンターウエイト１３の下端側も同様に、４本の回転阻止バー１５５、１５６、１５７及び１５８が螺着されて回転阻止部１５Ｂを構成している。図２（Ａ）中の１５７１及び１５７２は、回転阻止バー１５７の該螺着に用いられるねじである。
【００４５】
これら回転阻止バー１５１〜１５８の各々の長さは、支柱１１の内壁の幅よりやや短く、支柱１１とカウンターウエイト１３の本体部１３０とを同心にしたときに、これら回転阻止バー１５１〜１５８は支柱１１の横断面に内接する円の外側まで突出している。これにより、カウンターウエイト１３が回転するのを阻止することができ、また、カウンターウエイト１３が昇降する時に、その本体部１３０が支柱１１の内壁に衝突し難くすることができる。回転阻止バーはアクリル樹脂で形成されており、カウンターウエイトを昇降させる際に回転阻止部１５Ａ及び１５Ｂが中空支柱１１の内壁面に衝突しても、衝突音が殆ど無く、かつ、回転阻止部１５Ａ及び１５Ｂが長寿命でメンテナンス周期を長くできる。
【００４６】
カウンターウエイト１３はさらに、本体部１３０の、開口部１１０側の側面に、角形鋼管の把手１６を有し、それが該側面に、上端部、下端部及び中間部の３箇所において、短い角形鋼材のスペーサ１６０、１６１及び１６２を介し溶着されている。これによって、操作者が開口部１１０から中空支柱１１内へ手先部分だけ入れて容易に把手１６を把持し昇降させることが可能となっている。
【００４７】
カウンターウエイト１３の側面の上端部及び下端部にはそれぞれ、ピン１７１及び１７２が立設され、それらに掛止具１７３及び１７４の回動部が軸支されている。これらに対応して、支柱１１の開口部の内壁面には係合ピン１８が立設されている。
【００４８】
したがって、図３（Ａ）に示すように、カウンターウエイト１３を下降させると、係合ピン１８が掛止具１７３と係合され、看板１９が上限の位置で保持される。また、図３（Ｂ）に示すように、カウンターウエイト１３を上昇させると、係合ピン１８が掛止具１７４と係合されて、看板１９が下限の位置で保持される。さらに、開口部の位置に係合ピン１８が立設されているので、開口部１１０から係合解除操作を容易に行える。
【００４９】
図４は、掛止具１７３と係合ピン１８の係合動作説明図である。なお、下端部の掛止具１７４は上端部のそれと同一である。
【００５０】
掛止具１７３は、ベース１７５にノブ１７６が、軸１７７の回りに回転自在に支持されている。ノブ１７６には、その回転方向に切欠凹部１７８が形成されている。
【００５１】
図３（Ａ）の状態から看板１９を下降させると、ノブ１７６が係合ピン１８に当接する。この当接により、ノブ１７６に矢印方向の力が加わって、ノブ１７６が反時計回りに回転しようとする。さらに看板１９を下降させると、係合ピン１８が図４（Ｂ）に示すように切欠凹部１７８内に入り、矢印方向の力が加わって、ノブ１７６が時計回りに回転しようとする。これにより、図４（Ｃ）に示す如く、係合ピン１８が切欠凹部１７８内に入り込み、掛止具１７３と係合ピンが係合してカウンターウエイトが固定され、すなわち看板１９の昇降が阻止される。
【００５２】
カウンターウエイト１３は図２（Ｃ）に示すように、その本体部１３０の側面に調整錘２１が溶着されている。調整錘２１の長さ又は厚みを変更することによって、カウンターウエイト１３の重量を、看板１９と略同一（自然の状態でカウンターウエイト１３が停止する状態）となるよう調整することができる。
【００５３】
図３（Ａ）に示す如く、支柱１１の側面の上端部にはブラケット２２１が固着され、そこから垂直に下がった位置にも同様にブラケット２２２が固着されている。ブラケット２２１及び２２２には看板１９を収納するハウジング２３が固着されている。
【００５４】
係止環２４１及び２４２の軸部には雄ねじが形成され、これらにそれぞれナット２４１Ａ及び２４２Ａが螺合され、次いで該軸部がブリッジ１４上面の２箇所の孔に挿入され、ブリッジ１４の内面側からナット２４１Ｂ及び２４２Ｂが該軸部に螺合されて、係止環２４１及び２４２がブリッジ１４に固定されている。係止環２４１及び２４２には、ワイヤロープ２５１及び２５２のそれぞれ一端部が係着されている。ワイヤロープ２５１及び２５２はそれぞれ、上方のプーリー２６１及び２６２に掛けられ、水平に伸び、さらにプーリー２７１及び２７２に掛けられて垂下し、看板１９の天板１９２に取着された係止環２８１及び２８２に係着されている。
【００５５】
図３（Ａ）の状態では、ワイヤロープ２５１及び２５２が緊張した状態で、カウンターウエイト１３が下限位置にあり、その下端が底板２９から少し上方に位置している。把手１６をつかみ、これを長手方向に引き上げると、４本の回転阻止バー１５１〜１５４が支柱１１の内壁面を沿って、内壁面から少し離間した状態で案内されながら、カウンターウエイト１３が上昇し、これに伴い看板１９が垂下し、カウンターウエイト１３の上限位置手前で図３（Ｂ）に示す状態となる。
【００５６】
図１において、支柱１１の地中長さをＨ０、地面から開口部１１０の下端までの距離をＨ１，開口部１１０の高さをＨ２、開口部１１０の上端からハウジング２３の下端までの距離をＨ３、ハウジング２６の高さをＨ４と表記すると、これらの値は、例えば次の通りである。
【００５７】
Ｈ０＝１２００、Ｈ１＝１２００、Ｈ２＝６００、Ｈ３＝１１００、Ｈ４＝１５００（単位はｍｍ）
この場合、高所設置物昇降装置の地上高さは４４００ｍｍであり、カウンターウエイト１３の長さを例えば２７００ｍｍとし、カウンターウエイト１３の上限位置でその下端が例えば開口１１０の上下方向中点となるようにすることにより、把手１６が常に開口部１１０の範囲内に位置にあるので、平均的な身長の作業者が容易に開口部１１０を介してカウンターウエイト１３を昇降動作させることができる。さらに、看板１９が上限の位置に在るとき、カウンターウエイトの上端部が開口部１１０の位置にあり、また、看板１９が下限の位置に在るとき、カウンターウエイト１３の下端部が開口部１１０の位置にあるので、その上端部に螺着された回転阻止バー１５１、１５２、１５３及び１５４、並びに、下端部に螺着された回転阻止バー１５５、１５６、１５７及び１５８の取替え並びに掛止具１７３及び１７４のメンテナンスを容易に行える。カウンターウエイト１３の上端側のワイヤロープ係着部のメンテナンスについても同様である。
【００５８】
カウンターウエイト１３の重量は、看板１９のそれと略同一であることが、手動操作を容易にする上で好ましい。
【００５９】
図５は、支柱型昇降式看板の概略斜視図であり、この支柱型昇降式看板では、看体１９Ａが中空の略直方体である。図６は、この看体１９Ａの本体部を示す斜視図である。図６（Ａ）に示すように、この本体部は、横断面Ｌ字形の４本の柱部材１９１の上端部及び下端部がそれぞれトレイ状の天板１９２及び底板１９３の四隅に固着され、底板１９３の底面にベースプレート１９４が溶着されている。
【００６０】
図７（Ａ）に示すように、メッセージが記載された布、紙、合成樹脂等の広告シート１９５ａが透明板１９５ｂと乳白色バックプレート１９５ｃとにより挟まれて看板１９５が構成されている。この看板１９５の上端部及び下端部に対応して、図６（Ｂ）に示す如く、断面Ｌ字形のフレーム部材１９６及び１９７がそれぞれ天板１９２及び底板１９３の縁部に固着されて溝が形成されている。図７（Ｂ）に示す如く、この溝に看板１９５が装着される。看体１９Ａの本体部の、一対の狭い開口面には、補強板１９８が固着される。
【００６１】
図５に示す如く、看体１９Ａの天板１９２には係止環２８１及び２８２が取着され、これらのリングにそれぞれワイヤロープ２５１及び２５２の一端部が固着されている。支柱１１の上端部にはブラケット３０の一端部が固着され、ブラケット３０の内側上面には、係止環２８１及び２８２に対応してそれぞれプーリー２７１及び２７２が取着され、さらに支柱１１側にプーリー２６１及び２６２が取着されている。ワイヤロープ２５１及び２５２はそれぞれ、プーリー２７１及び２７２に巻き掛けられた後、プーリー２６１及び２６２に巻きかけられて下方に延び、これらの他端部がそれぞれ、カウンターウエイト１３の上端に取着された係止環２４１及び２４２に取着されている。
【００６２】
ワイヤロープ２５１及び２５２が挿通される穴が形成されたブラケット３０の下面には、さらにこれらが挿通される穴が形成されたハウジング２３Ａの上面が固着され、ハウジング２３Ａと支柱１１との間には、ブラケット２２１Ａ及び２２２Ａが固着されている。ハウジング２３Ａの一対の広い対向面には開口２３１が形成され、開口２３１が透明板、例えば透明アクリル板で覆われている。
【００６３】
図８は、図５中の８−８線に沿った横断面拡大図である。
【００６４】
支柱１１の看体１９Ａ側の面には、支柱１１の長手方向に沿って横断面略Ｃ字形のガイド部材３１が、開口部を外側に向けて取着されている。ガイド部材３１内には、横断面Ｉ字形の被ガイド部材３２が、そのくびれ部がガイド部材３１の開口部に対応するように挿入される。被ガイド部材３２の先端面は、図１０に示すようなブラケット３３のフロントプレート３３１に固着されている。ブラケット３３は、このフロントプレート３３１と、プレート３３１と直交するアッパープレート３３２と、直角を挟む２辺がプレート３３１とプレート３３２に固着された直角三角形の一対のリブ３３３と、アッパープレート３３２と平行にフロントプレート３３１の他端側に固着されたロアプレート３３４とを備えている。アッパープレート３３２の上面先端部は、図９に示すように、看体１９Ａのベースプレート１９４の底面端部に固着されている。
【００６５】
さらに、カバー３４でガイド部材３１を容易に覆うことが可能となっている。すなわち、カバー３４の一方の側部と支柱１１の面との間に不図示の蝶番が取着されており、その軸を中心にカバー３４が回転自在となっている。カバー３４の他方の側部には不図示の孔が形成され、これにボルト３５を挿入してボルト３５を支柱１１に螺着させることにより、図９（Ａ）に示す状態となる。
【００６６】
したがって、看体１９Ａを昇降させると、ブラケット３３を介し看体１９Ａと一体になった被ガイド部材３２が、ガイド部材３１に案内されて昇降する。
【００６７】
これにより、看体１９Ａを昇降させる際に風や地震によって看体１９Ａが揺れても、支柱１１に対する看体１９Ａの揺れが規制されて、看体１９Ａを安全に昇降させることが可能となる。
【００６８】
本実施例１によれば、開口部１１０を介して把手１６を把持し、カウンターウエイト１３を上下動させることにより、看板１９を通常使用位置の上限と看板取替作業位置の下限との間で容易に昇降させることができる。
【００６９】
また、昇降用モーターを用いていないので、安価に構成できるとともに、余分なメンテナンスが不要となる。
【００７０】
さらに、ウォームホイールとウォームのギヤを用いる必要がないので、カウンターウエイト１３を比較的高速に昇降動作させることができる。
【００７１】
また、カウンターウエイト１３の昇降時にカウンターウエイト１３に水平方向の力が加わったり地面が振動したりしても、回転阻止バー１５１〜１５８を備えているので、カウンターウエイトの本体部が支柱１１の内壁に衝突せず、したがって殆ど異音が発生することがなく、しかも、回転阻止バー１５１〜１５８により本体部の揺れが小さいので、安定した昇降動作が可能となる。さらに、構成が簡単で、カウンターウエイト１３に戸車を配置する後述の構成よりも長寿命である。
【００７２】
さらに、カウンターウエイト１３が比較的長いことにより、カウンターウエイト１３の横断面を狭くすることできるので、横断面が比較的狭い中空支柱１１を用いることができ、これによりスリム本体部１３０を構成することができる。例えば、支柱１１はその横断面の内面が１０ｃｍ×１０ｃｍであり、本体部１３０横断面の外面が５ｃｍ×５ｃｍであり、把手１６の横断面が１ｃｍ×１ｃｍであり、本体部１３０側面と把手１６との間隔が０．８ｃｍであり、回転阻止バー１５１〜１５８の各々が幅１．５ｃｍ×厚み１ｃｍ×長さ９ｃｍである。
【００７３】
しかも、カウンターウエイト１３を地下に入れることができるので、比較的高い支柱型看板昇降式看板を構成しても、看板取替作業が容易な位置へ看板１９が下降するまでカウンターウエイト１３を持ち上げることが可能となる。
【００７４】
本実施例１は以上のような効果を奏するので、実用性が高い。
【実施例２】
【００７５】
本発明の実施例２では、図１１及び図１２に示すように、カウンターウエイト１３Ａの回転阻止部１５Ａ１及び１５Ｂ１が被案内車を備えている。
【００７６】
図１１（Ａ）はカウンターウエイト１３Ａの構成を示す、一部を省略した縦断面図である。図１１（Ｂ）及び（Ｃ）はそれぞれ図１１（Ａ）中の１１Ｂ−１１Ｂ線及び１１Ｃ−１１Ｃ線に沿った横断面図である。図１２は実施例２のカウンターウエイト１３Ａの昇降動作を示す横断面図であり、図１３は実施例２のカウンターウエイト１３Ａの構成を示す、一部を省略した斜視図である。
【００７７】
カウンターウエイト１３Ａの本体部では、互いに平行な本体部としての棒部材１３Ａ４〜１３Ａ７を有し、それらの上端部に矩形筒型のホルダ１３Ａ０及び１３Ａ１を、下端部にホルダ１３Ａ２及び１３Ａ３を備え、棒部材１３Ａ４〜１３Ａ７の上端部及び下端部は、ホルダ１３Ａ０、１３Ａ１、１３Ａ２及び１３Ａ３のそれぞれ内壁４隅に溶着されている。
【００７８】
カウンターウエイト１３Ａは、図１１（Ａ）に示すように、上端側のホルダ１３Ａ０の下端部に被案内車としての戸車３６１の軸支部の一端部が螺着され、その他端部がそこから下降した位置のホルダ１３Ａ１の上端部に螺着され、他の３面も同様にそれぞれ戸車３６２、３６３及び３６４がホルダ１３Ａ０及び１３Ａ１の各側面に螺着されている。また、下端部にも上端部と同様、ホルダ１３Ａ３とそこから上昇した位置のホルダ１３Ａ２のそれぞれ各側面に戸車３６５、３６６、３６７及び３６８が螺着されている。
【００７９】
カウンターウエイト１３Ａの上端部では、ホルダ１３Ａ０に回転阻止バー１５３が、下端部では、ホルダ１５Ａ３に回転阻止バー１５７が螺着され、前述した戸車３６１〜３６８とともに、それぞれ回転阻止部１５Ａ１及び１５Ｂ１が構成されている。
【００８０】
カウンターウエイト１３Ａはまた、把手１６Ａがホルダ１３Ａ１及び１３Ａ２に垂直に載架され、その両端部がスペーサ１６０Ａ及び１６１Ａを介して溶着されている。
【００８１】
カウンターウエイト１３Ａはさらに、棒部材１３Ａ４及び１４Ａ５にバー２０が横架され、調整錘２１がボルト２１１及び２１２によってバー２０に螺着されている。図１１（Ｃ）に示す２１１Ａ及び２１２Ａはボルト２１１及び２１２を固定するナットである。
【００８２】
実施例２の支柱型高所設置物昇降装置のその他の部分の構成は実施例１と同様であるのでその説明は省略する。
【００８３】
本実施例２によれば、カウンターウエイト１３Ａの昇降時に戸車３６１〜３６８が支柱１１の内壁面に当接しても、その車が回転するので摺動がなく、かつ、これにより戸車３６１〜３６８の先端を中空支柱内壁面により接近させて戸車３６１〜３６８を配設できるので、より安定したカウンターウエイト１３Ａの昇降が可能となる。
【００８４】
さらに、２本の棒部材間にバー２０を横架し、それに調整錘２１を螺着する構成なので、カウンターウエイト１３Ａの重量が看板１９と略同一となるよう調整することが容易にできる。また、各棒部材間の空間により、調整錘の取付作業が容易となる。
【実施例３】
【００８５】
本発明の実施例３では、図１４に示すように、回転阻止バー１５１Ａ及び１５２Ａの代替物を使用してカウンターウエイトの回転を阻止できる構成を説明する。
【００８６】
実施例２と同様、カウンターウエイト１３Ｂの本体部では、ホルダ１３Ｂ０及び１３Ｂ１を上端部に有し、それらの内面４隅に棒部材１３Ｂ４〜１３Ｂ７の上端部が溶着されている。
【００８７】
カウンターウエイト１３Ｂの上端部のホルダ１３Ｂ０及び１３Ｂ１の各側面に、その中央線から等間隔に離間した位置にそれぞれ回転阻止部としての被案内車を該中央線と平行にして螺着している。つまり、図１４（Ｂ）に示すように上端部のホルダ１３Ｂ０及び１３Ｂ１の各側面に戸車３６１Ａ〜３６４Ａ及び３６１Ｂ〜３６４Ｂの軸支部が螺着されて、回転阻止部１５Ａ２が構成されている。なお、カウンターウエイト１３Ｂの下端部には不図示の回転阻止部を有しており、上端部のそれと上下対称に構成されている。
【００８８】
これにより、カウンターウエイト１３Ｂの昇降時に、被案内車が中空支柱１１内に案内されてカウンターウエイト１３Ｂの回転が防止されるとともに昇降の際の揺れも軽減でき、また、その本体部が支柱１１の内壁に当設しても摺動がない。
【実施例４】
【００８９】
本発明の実施例４では、図１５に示すように、カウンターウエイト１３Ｃの上端部のホルダ１３Ｃ０及び１３Ｃ１の側面に、車の厚み（横幅）を比較的大きくした被案内車３６１Ｃを実施例１及び２と同様に螺着して、回転阻止部１５Ａ３を形成する構成となっている。この場合、カウンターウエイトの上部及び下部にそれぞれ被案内車を、中空支柱の４つの内壁面に対向して４個備えるだけで、上記実施例３と同様の効果が得られる。
【実施例５】
【００９０】
図１６は本発明の実施例５のカウンターウエイト１３Ｄを示す斜視図である。図１７はこのカウンターウエイト１３Ｄの正面図である。
【００９１】
カウンターウエイト１３Ｄの本体部では、１本の棒部材としての円管１３Ｄ３の上端に、鋼製の升１３Ｄ１の底面が溶着され、下端に該升１３Ｄ１と同一構成の升１３Ｄ２の底面が溶着されている。
【００９２】
升１３Ｄ１の各側面にはそれぞれ、矩形開口１３Ｄ１１及び１３Ｄ１２（図１６では他の２つが隠れている）が形成され、これらの上下方向縁部に、被案内車としての戸車３６１Ａ、３６１Ｂ、３６２Ａ及び３６２Ｂの軸支部が螺着されて、回転阻止部１５Ａ４が構成されている。升１３Ｄ２の回転阻止部１５Ｂ４についても回転阻止部１５Ａ４と同じ構成である。
【００９３】
円管１３Ｄ３には、リング型金属製の調整錘２１Ａが外環され、升１３Ｄ２がそのストッパーとなっている。
【００９４】
図１６及び図１７では、上端のワイヤロープ係止部、図２のピン１７１及び１７２（これらは升１３Ｄ１及び１３Ｄ２に配設される）並びに掛止具１７３及び１７４が図示省略されている。
【００９５】
その他の構成については、実施例１と同じであるので、その説明を省略する。
【００９６】
なお、本発明には外にも種々の変形例が含まれる。例えば、調整錘を図２の本体部１３０内に固着する構成であってもよい。また、本発明には以上の実施例の種々の組み合わせが含まれる。さらに、被案内車としてボールキャスターを用いた構成であってもよい。また、本発明は昇降機構に特徴があり、以上の実施例や変形例を街灯や防犯灯などの種々の高所設置物に適用可能である。
【図面の簡単な説明】
【００９７】
【図１】本発明の実施例１に係る支柱型昇降式看板が地中に植設された状態を示す一部断面正面図である。
【図２】（Ａ）は中空支柱とこれに遊挿されたカウンターウエイト１３の構成を示す、一部を省略した縦断面図であり、（Ｂ）は（Ａ）の２Ｂ−２Ｂ線に沿った横断面図、（Ｃ）は（Ａ）の２Ｃ−２Ｃ線に沿った横断面図である。
【図３】支柱型昇降式看板の昇降動作説明図（看板部の高さ方向及び幅方向を短縮して概略記載）であって、（Ａ）及び（Ｂ）はそれぞれ看板１９が上方位置及び下方位置にあるときの縦断面図である。
【図４】掛止具１７３と係合ピン１８の係合動作説明図である。
【図５】看体の構成も含めた支柱型昇降式看板の上部概略斜視図である。
【図６】図５中の看体１９Ａの本体部を示す斜視図である。
【図７】（Ａ）は広告シート１９５ａが透明板１９５ｂとバックプレート１９５ｃとにより挟まれて構成される看板１９５の分解斜視図であり、（Ｂ）は看体本体部への看板の装着を示す分解斜視図である。
【図８】図５中の８−８線に沿った横断面拡大図である。
【図９】（Ａ）は看体と中空支柱の結合部付近を示す正面図であり、（Ｂ）は（Ａ）中の９Ｂ−９Ｂ線に沿った横断面図である。
【図１０】看体と中空支柱の間に配設される結合部の斜視図である。
【図１１】（Ａ）は本発明の実施例２の中空支柱及びこれに遊挿されるカウンターウエイト１３Ａの構成を示す、一部を省略した縦断面図であり、（Ｂ）は（Ａ）の１１Ｂ−１１Ｂ線に沿った横断面図、（Ｃ）は（Ａ）の１１Ｃ−１１Ｃ線に沿った横断面図である。
【図１２】支柱型昇降式看板の昇降動作説明図であって、（Ａ）及び（Ｂ）はそれぞれ看板１９が上方位置及び下方位置にあるときの縦断面図である。
【図１３】カウンターウエイト１３Ａの構成を示す、下部を切断した斜視図である。
【図１４】（Ａ）は本発明の実施例３のカウンターウエイト１３Ｂを示す、中間部及び下端部を省略した斜視図であり、（Ｂ）はそのカウンターウエイト１３Ｂが支柱１１内にある状態での上面図である。
【図１５】本発明の実施例４のカウンターウエイト１３Ｃを示す、中間部を省略した斜視図である。
【図１６】本発明の実施例５のカウンターウエイト１３Ｄの構成を示す、中間部を省略した斜視図である。
【図１７】図１６のカウンターウエイト１３Ｄの正面図である。
【符号の説明】
【００９８】
１０  穴
１１  支柱
１１０  開口部
１１１  蓋
１２  基礎コンクリート
１３、１３Ａ、１３Ｂ、１３Ｃ、１３Ｄ  カウンターウエイト
１３Ａ０〜１３Ａ３、１３Ｂ０、１３Ｂ１、１３Ｃ０〜１３Ｃ３  ホルダ
１３Ｄ１、１３Ｄ２  升
【００９９】
１３Ｄ１１、１３Ｄ１２、１３Ｄ２１、１３Ｄ２２  開口
１３Ａ４〜１３Ａ７、１３Ｂ４〜１３Ｂ７、１３Ｃ４〜１３Ｃ７  棒部材
１３Ｄ３  円管
１３０  本体部
１４  ブリッジ
１５１〜１５８、１５３、１５７  回転阻止バー
１５Ａ、１５Ｂ、１５Ａ１〜１５Ａ４、１５Ｂ１、１５Ｂ３、１５Ｂ４  回転阻止部
１５３１、１５３２、１５７１、１５７２  ねじ
１６、１６Ａ  把手
１６０〜１６２、１６０Ａ、１６１Ａ  スペーサ
１７１、１７２  ピン
１７３、１７４  掛止具
１７５  ベース
１７６  ノブ
１７７  軸
１７８  切欠凹部
１８  係合ピン
１９、１９５  看板
１９Ａ  看体
１９１  柱部材
１９２  天板
１９３  底板
１９４  ベースプレート
１９５ａ  広告シート
１９５ｂ  透明板
１９５ｃ  バックプレート
１９６、１９７  フレーム部材
１９８  補強板
２０  バー
２１、２１Ａ  調整錘
２１１、２１２、３５  ボルト
２１１Ａ、２１２Ａ  ナット
２２１、２２１Ａ、２２２、２２２Ａ、３０、３３  ブラケット
２３、２３Ａ  ハウジング
２３１  開口
２４１、２４２、２８１、２８２  係止環
２４１Ａ、２４２Ａ  ナット
２５１、２５２  ワイヤロープ
２６１、２６２、２７１、２７２  プーリー
２９  底板
３１  ガイド部材
３２  被ガイド部材
３３１〜３３４プレート
３４  カバー
３６１〜３６８、３６１Ａ〜３６４Ａ、３６１Ｂ〜３６４Ｂ  戸車
３６１Ｃ、３６２Ｃ、３６５Ｃ、３６６Ｃ  被案内車
【図１】
2007320748.tif 000003
【図２】
2007320748.tif 000004
【図３】
2007320748.tif 000005
【図４】
2007320748.tif 000006
【図５】
2007320748.tif 000007
【図６】
2007320748.tif 000008
【図７】
2007320748.tif 000009
【図８】
2007320748.tif 000010
【図９】
2007320748.tif 000011
【図１０】
2007320748.tif 000012
【図１１】
2007320748.tif 000013
【図１２】
2007320748.tif 000014
【図１３】
2007320748.tif 000015
【図１４】
2007320748.tif 000016
【図１５】
2007320748.tif 000017
【図１６】
2007320748.tif 000018
【図１７】
2007320748.tif 000019
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
立設され横断面が矩形の中空支柱の上部に、高所設置物が係止され、該高所設置物を昇降させる支柱型高所設置物昇降装置において、
該中空支柱に遊挿され上下方向に延在し、該中空支柱の内壁に沿って昇降するカウンターウエイトと、
一端が該カウンターウエイトの上端部に係着され、他端が該高所設置物に係着されたロープと、
該カウンターウエイトの上方位置と該高所設置物の上方位置とに配設され、該ロープが掛けられて該ロープを案内する第１及び第２のプーリーと、
該高所設置物を上限位置に保持する保持手段と、
該中空支柱の側面に形成され該カウンターウエイトを把持して昇降操作するための開口部と、
を有し、該カウンターウエイトは、その重量が該高所設置物の重量と略等しく、
該中空支柱内に遊挿され上下方向に延在する本体部と、
該本体部の上下方向の２箇所の位置のそれぞれに設けられ、該本体部を該中空支柱と同心にしたときに該中空支柱の横断面に内接する円の外側まで該本体部から突設された回転阻止部と、
を有し、
該カウンターウエイトと該開口部とは、該高所設置物上端が地上高さ２ｍ以下の下限まで降下している状態で該カウンターウエイトの下端部が該開口部の上下端間に位置する関係にあり、該高所設置物上端が上限位置の状態で該カウンターウエイトの上端部が該開口部の上下端間に位置する関係にあり、
該開口部が蓋で閉じられるようにしたことを特徴とする支柱型高所設置物昇降装置。
【請求項２】
該本体部は互いに直角な４側面を有し、
該回転阻止部は、該本体部の各側面について上端部と下端部の各々に、該角柱部材の長手方向と直角に該側面に固着されたバーを有する、
ことを特徴とする請求項１に記載の支柱型高所設置物昇降装置。
【請求項３】
該バーはアクリル樹脂で形成されていることを特徴とする請求項２に記載の支柱型高所設置物昇降装置。
【請求項４】
該本体部はさらに、該開口部側の側面に、該側面の長手方向中央線に沿って該側面と平行に固着された把手長尺部材を有する、
ことを特徴とする請求項１乃至３のいずれか１つに記載の支柱型高所設置物昇降装置。
【請求項５】
該把手長尺部材は該本体部の該開口部側の側面から離間して配置されていることを特徴とする請求項４に記載の支柱型高所設置物昇降装置。
【請求項６】
該本体部は、その側面に固着された調整錘を有することを特徴とする請求項１乃至５のいずれか１つに記載の支柱型高所設置物昇降装置。
【請求項７】
該保持手段は、回動自在に支持され、回動方向に係合凹部が形成された掛止具と、ピン部材とを有し、該掛止具と該ピン部材との一方が該カウンターウエイトの上部及び下部の側面に固着され、該掛止具と該ピン部材との他方が該中空支柱の内壁面に固着され、
該高所設置物が下限位置まで下降した時に該掛止具が該ピン部材に押されて該掛止具が回動し該係合凹部に該ピン部材が係合して該高所設置物の上下方向移動を阻止するように該掛止具が形成されている、
ことを特徴とする請求項１乃至６のいずれか１つに記載の支柱型高所設置物昇降装置。
【請求項８】
該本体部は、該中空支柱の４隅のそれぞれに対応して互いに平行に配置された第１〜４棒部材と、該第１〜４棒部材をそれらの上端部及び下端部のそれぞれで互いに固定する上端側固定部材及び下端側固定部材とを有し、
該２箇所の位置の回転阻止部はそれぞれ該上端側固定部材及び該下端側固定部材に固着されている、
ことを特徴とする請求項１乃至７のいずれか１つに記載の支柱型高所設置物昇降装置。
【手続補正２】
【補正対象書類名】明細書
【補正対象項目名】００１２
【補正方法】変更
【補正の内容】
【００１２】
本発明による支柱型高所設置物昇降装置の第１態様では、
立設され横断面が矩形の中空支柱の上部に、高所設置物が係止され、該高所設置物を昇降させる支柱型高所設置物昇降装置において、
該中空支柱に遊挿され上下方向に延在し、該中空支柱の内壁に沿って昇降するカウンターウエイトと、
一端が該カウンターウエイトの上端部に係着され、他端が該高所設置物に係着されたロープと、
該カウンターウエイトの上方位置と該高所設置物の上方位置とに配設され、該ロープが掛けられて該ロープを案内する第１及び第２のプーリーと、
該高所設置物を上限位置に保持する保持手段と、
該中空支柱の側面に形成され該カウンターウエイトを把持して昇降操作するための開口部と、
を有し、該カウンターウエイトは、その重量が該高所設置物の重量と略等しく、
該中空支柱内に遊挿され上下方向に延在する本体部と、
該本体部の上下方向の２箇所の位置のそれぞれに設けられ、該本体部を該中空支柱と同心にしたときに該中空支柱の横断面に内接する円の外側まで該本体部から突設された回転阻止部と、
を有し、
該カウンターウエイトと該開口部とは、該高所設置物上端が地上高さ２ｍ以下の下限まで降下している状態で該カウンターウエイトの下端部が該開口部の上下端間に位置する関係にあり、該高所設置物上端が上限位置の状態で該カウンターウエイトの上端部が該開口部の上下端間に位置する関係にあり、
該開口部が蓋で閉じられる。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明による支柱型高所設置物昇降装置の第２態様では、第１態様において、
該本体部は互いに直角な４側面を有し、
該回転阻止部は、該本体部の各側面について上端部と下端部の各々に、該角柱部材の長手方向と直角に該側面に固着されたバーを有する。
【手続補正６】
【補正対象書類名】明細書
【補正対象項目名】００１６
【補正方法】変更
【補正の内容】
【００１６】
本発明による支柱型高所設置物昇降装置の第３態様では、第２態様において、該バーはアクリル樹脂で形成されている。
【手続補正７】
【補正対象書類名】明細書
【補正対象項目名】００１７
【補正方法】変更
【補正の内容】
【００１７】
本発明による支柱型高所設置物昇降装置の第４態様では、第１乃至３態様のいずれか１つにおいて、
該本体部はさらに、該開口部側の側面に、該側面の長手方向中央線に沿って該側面と平行に固着された把手長尺部材を有する。
【手続補正８】
【補正対象書類名】明細書
【補正対象項目名】００１８
【補正方法】変更
【補正の内容】
【００１８】
本発明による支柱型高所設置物昇降装置の第５態様では、第４態様において、該把手長尺部材は該本体部の該開口部側の側面から離間して配置されている。
【手続補正９】
【補正対象書類名】明細書
【補正対象項目名】００１９
【補正方法】変更
【補正の内容】
【００１９】
本発明による支柱型高所設置物昇降装置の第６態様では、第１乃至５態様のいずれか１つにおいて、該本体部は、その側面に固着された調整錘を有する。
【手続補正１０】
【補正対象書類名】明細書
【補正対象項目名】００２０
【補正方法】変更
【補正の内容】
【００２０】
本発明による支柱型高所設置物昇降装置の第７態様では、第１乃至６態様のいずれか１つにおいて、
該保持手段は、回動自在に支持され、回動方向に係合凹部が形成された掛止具と、ピン部材とを有し、該掛止具と該ピン部材との一方が該カウンターウエイトの上部及び下部の側面に固着され、該掛止具と該ピン部材との他方が該中空支柱の内壁面に固着され、
該高所設置物が下限位置まで下降した時に該掛止具が該ピン部材に押されて該掛止具が回動し該係合凹部に該ピン部材が係合して該高所設置物の上下方向移動を阻止するように該掛止具が形成されている。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
本発明による支柱型高所設置物昇降装置の第８態様では、第１乃至７態様のいずれか１つにおいて、
該本体部は、該中空支柱の４隅のそれぞれに対応して互いに平行に配置された第１〜４棒部材と、該第１〜４棒部材をそれらの上端部及び下端部のそれぞれで互いに固定する上端側固定部材及び下端側固定部材とを有し、
該２箇所の位置の回転阻止部はそれぞれ該上端側固定部材及び該下端側固定部材に固着されている。
【手続補正１３】
【補正対象書類名】明細書
【補正対象項目名】００２８
【補正方法】変更
【補正の内容】
【００２８】
さらに、該カウンターウエイトの重量は該高所設置物の重量に略等しく、該カウンターウエイトと該開口とは、該高所設置物上端が地上高さ２ｍ以下の下限まで降下している状態で該カウンターウエイト下端部が該開口の上下端間に位置する関係にあり、かつ、該高所設置物上端が上限位置の状態で該カウンターウエイト上端部が該開口の上下端間に位置する関係にあるので、該開口部を介して該カウンターウエイトを把持し昇降させるだけで高所設置物を安定に昇降させることができるとともに、該開口を介して該カウンターウエイトのメンテナンスを容易に行うことができるという効果を奏する。
【手続補正１４】
【補正対象書類名】明細書
【補正対象項目名】００２９
【補正方法】変更
【補正の内容】
【００２９】
上記第２態様の構成によれば、該本体部は互いに直角な４側面を有し、該回転阻止部は、該本体部の各側面について上端部と下端部の各々に、該本体部の長手方向と直角に該側面に固着されたバーを有するので、構成が簡単になるとともに、長寿命となり、しかも、より安価にかつより短時間で組み立てることができるので、実用的であるという効果を奏する。
【手続補正１５】
【補正対象書類名】明細書
【補正対象項目名】００３０
【補正方法】変更
【補正の内容】
【００３０】
上記第３態様の構成によれば、該バーはアクリル樹脂で形成されているので、該カウンターウエイトを昇降させる際に該回転阻止部が該中空支柱の内壁面に衝突しても、衝突音が小さくなり、かつ、該回転阻止部が長寿命でメンテナンス周期を長くできるという効果を奏する。
【手続補正１６】
【補正対象書類名】明細書
【補正対象項目名】００３１
【補正方法】変更
【補正の内容】
【００３１】
上記第４態様の構成によれば、該本体部はさらに、該開口部側の側面に、該側面の長手方向中央線に沿って該側面と平行に固着された把手長尺部材を有するので、該開口部へ少し手を挿入すれば該把手長尺部材を把持でき、これにより該カウンターウエイトの昇降操作がさらに容易になるという効果を奏する。
【手続補正１７】
【補正対象書類名】明細書
【補正対象項目名】００３２
【補正方法】変更
【補正の内容】
【００３２】
上記第５態様の構成によれば、該把手長尺部材は該本体部の該開口部側の側面から離間して配置されているので、前記把持がさらに容易になるという効果を奏する。
【手続補正１８】
【補正対象書類名】明細書
【補正対象項目名】００３３
【補正方法】変更
【補正の内容】
【００３３】
上記第６態様の構成によれば、該本体部は、その側面に固着された調整錘を有するので、異なる重量の該高所設置物に対し調整錘を変えるだけで標準的なカウンターウエイトを用いることができ、装置製作コストを低減できるという効果を奏する。
【手続補正１９】
【補正対象書類名】明細書
【補正対象項目名】００３４
【補正方法】変更
【補正の内容】
【００３４】
上記第７態様の構成によれば、該保持手段が該中空支柱内に設けられているので、見栄えの悪化が防止されるとともに、該保持手段が雨水にさらされるのを防止できるという効果を奏する。また、該カウンターウエイトを昇降させるだけで該保持手段が作動して高所設置物を上限及び下限位置に固定でき、すなわち、必要な時に該カウンターウエイトを自動的に固定することができるので、作業性がよいという効果を奏する。
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】変更
【補正の内容】
【００３６】
上記第８態様の構成によれば、該本体部は、該中空支柱の４隅のそれぞれに対応して互いに平行に配置された第１〜４棒部材と、該第１〜４棒部材をそれらの上端部及び下端部のそれぞれで互いに固定する上端側固定部材及び下端側固定部材とを有し、該２箇所の位置の回転阻止部はそれぞれ該上端側固定部材及び該下端側固定部材に固着されているので、該カウンターウエイトへの調整錘の取付が容易であるという効果を奏する。
【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
立設され横断面が矩形の中空支柱の上部側方に、高所設置物が係止され、該高所設置物を昇降させる支柱型高所設置物昇降装置において、
該中空支柱の下部が地下に埋設され、
該中空支柱に遊挿され上下方向に延在し、該中空支柱の内壁に沿って昇降するカウンターウエイトと、
一端が該カウンターウエイトの上端部に係着され、他端が該高所設置物に係着されたロープと、
該カウンターウエイトの上方位置と該高所設置物の上方位置とに配設され、該ロープが掛けられて該ロープを案内する第１及び第２のプーリーと、
該高所設置物を上限位置に保持する保持手段と、
該中空支柱の側面に形成され該カウンターウエイトを把持して昇降操作するための開口部と、
を有し、該カウンターウエイトは、その重量が該高所設置物の重量と略等しく、
該中空支柱内に遊挿され上下方向に延在し互いに直角な４側面を有する本体部と、
該本体部の上下方向の２箇所の位置のそれぞれに、該本体部の各側面について該本体部の長手方向と直角に固着されたバーと、
を有し、
該カウンターウエイトと該開口部とは、該高所設置物が下限まで降下している状態で該カウンターウエイトの下端部が該開口部の上下端間に位置する関係にあり、該高所設置物が上限位置の状態で該カウンターウエイトの上端部が該開口部の上下端間に位置し且つ該カウンターウエイトの下部が地下に存在する関係にあり、
該開口部が蓋で閉じられるようにしたことを特徴とする支柱型高所設置物昇降装置。
【請求項２】
該バーはアクリル樹脂で形成されていることを特徴とする請求項１に記載の支柱型高所設置物昇降装置。
【請求項３】
該本体部はさらに、該開口部側の側面に、該側面の長手方向中央線に沿って該側面と平行に固着された把手長尺部材を有する、
ことを特徴とする請求項１又は２に記載の支柱型高所設置物昇降装置。
【請求項４】
該把手長尺部材は該本体部の該開口部側の側面から離間して配置されていることを特徴とする請求項３に記載の支柱型高所設置物昇降装置。
【請求項５】
該本体部は、その側面に固着された調整錘を有することを特徴とする請求項１乃至４のいずれか１つに記載の支柱型高所設置物昇降装置。
【請求項６】
該保持手段は、回動自在に支持され、該カウンターウエイトの上部及び下部の側面に固着され回動方向に係合凹部が形成された掛止具と、該中空支柱の内壁面に固着されたピン部材とを有し、
該高所設置物が下限位置まで下降した時及び該高所設置物が上限位置まで上昇した時に該掛止具が該ピン部材に押されて該掛止具が回動し該係合凹部に該ピン部材が係合して該高所設置物の上下方向移動を阻止するように該掛止具が形成されている、
ことを特徴とする請求項１乃至５のいずれか１つに記載の支柱型高所設置物昇降装置。
【請求項７】
該本体部は、該中空支柱の４隅のそれぞれに対応して互いに平行に配置された第１〜４棒部材と、該第１〜４棒部材をそれらの上端部及び下端部のそれぞれで互いに固定する上端側固定部材及び下端側固定部材とを有する、
ことを特徴とする請求項１乃至６のいずれか１つに記載の支柱型高所設置物昇降装置。
【手続補正２】
【補正対象書類名】明細書
【補正対象項目名】００１２
【補正方法】変更
【補正の内容】
【００１２】
本発明による支柱型高所設置物昇降装置の第１態様では、
立設され横断面が矩形の中空支柱の上部側方に、高所設置物が係止され、該高所設置物を昇降させる支柱型高所設置物昇降装置において、
該中空支柱の下部が地下に埋設され、
該中空支柱に遊挿され上下方向に延在し、該中空支柱の内壁に沿って昇降するカウンターウエイトと、
一端が該カウンターウエイトの上端部に係着され、他端が該高所設置物に係着されたロープと、
該カウンターウエイトの上方位置と該高所設置物の上方位置とに配設され、該ロープが掛けられて該ロープを案内する第１及び第２のプーリーと、
該高所設置物を上限位置に保持する保持手段と、
該中空支柱の側面に形成され該カウンターウエイトを把持して昇降操作するための開口部と、
を有し、該カウンターウエイトは、その重量が該高所設置物の重量と略等しく、
該中空支柱内に遊挿され上下方向に延在し互いに直角な４側面を有する本体部と、
該本体部の上下方向の２箇所の位置のそれぞれに、該本体部の各側面について該本体部の長手方向と直角に固着されたバーと、
を有し、
該カウンターウエイトと該開口部とは、該高所設置物が下限まで降下している状態で該カウンターウエイトの下端部が該開口部の上下端間に位置する関係にあり、該高所設置物が上限位置の状態で該カウンターウエイトの上端部が該開口部の上下端間に位置し且つ該カウンターウエイトの下部が地下に存在する関係にあり、
該開口部が蓋で閉じられる。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明による支柱型高所設置物昇降装置の第２態様では、第１態様において、該バーはアクリル樹脂で形成されている。
【手続補正５】
【補正対象書類名】明細書
【補正対象項目名】００１７
【補正方法】変更
【補正の内容】
【００１７】
本発明による支柱型高所設置物昇降装置の第３態様では、第１又は第２態様において、
該本体部はさらに、該開口部側の側面に、該側面の長手方向中央線に沿って該側面と平行に固着された把手長尺部材を有する。
【手続補正６】
【補正対象書類名】明細書
【補正対象項目名】００１８
【補正方法】変更
【補正の内容】
【００１８】
本発明による支柱型高所設置物昇降装置の第４態様では、第３態様において、該把手長尺部材は該本体部の該開口部側の側面から離間して配置されている。
【手続補正７】
【補正対象書類名】明細書
【補正対象項目名】００１９
【補正方法】変更
【補正の内容】
【００１９】
本発明による支柱型高所設置物昇降装置の第５態様では、第１乃至４態様のいずれか１つにおいて、該本体部は、その側面に固着された調整錘を有する。
【手続補正８】
【補正対象書類名】明細書
【補正対象項目名】００２０
【補正方法】変更
【補正の内容】
【００２０】
本発明による支柱型高所設置物昇降装置の第６態様では、第１乃至５態様のいずれか１つにおいて、
該保持手段は、回動自在に支持され、該カウンターウエイトの上部及び下部の側面に固着され回動方向に係合凹部が形成された掛止具と、該中空支柱の内壁面に固着されたピン部材とを有し、
該高所設置物が下限位置まで下降した時及び該高所設置物が上限位置まで上昇した時に該掛止具が該ピン部材に押されて該掛止具が回動し該係合凹部に該ピン部材が係合して該高所設置物の上下方向移動を阻止するように該掛止具が形成されている。
【手続補正９】
【補正対象書類名】明細書
【補正対象項目名】００２２
【補正方法】変更
【補正の内容】
【００２２】
本発明による支柱型高所設置物昇降装置の第７態様では、第１乃至６態様のいずれか１つにおいて、
該本体部は、該中空支柱の４隅のそれぞれに対応して互いに平行に配置された第１〜４棒部材と、該第１〜４棒部材をそれらの上端部及び下端部のそれぞれで互いに固定する上端側固定部材及び下端側固定部材とを有する。
【手続補正１０】
【補正対象書類名】明細書
【補正対象項目名】００２３
【補正方法】変更
【補正の内容】
【００２３】
上記第１態様の構成によれば、中空支柱の下部が地下に埋設され、カウンターウエイトが該中空支柱内に遊挿されて上下方向に延在し、高所設置物が上限位置の状態で該カウンターウエイトの上端部が中空支柱開口部の上下端間に位置し且つ該カウンターウエイトの下部が地下に存在し、該カウンターウエイトの本体部が、互いに直角な４側面を有し、該本体部の上下方向の２箇所の位置のそれぞれに、該本体部の各側面について該角柱部材の長手方向と直角に固着されたバーを有するので、簡単かつ安価な構成で、該カウンターウエイトが回転するのを阻止でき、長寿命となり、しかも、カウンターウエイトを把持してこれを容易に昇降させることができるという効果を奏する。
【手続補正１１】
【補正対象書類名】明細書
【補正対象項目名】００２７
【補正方法】変更
【補正の内容】
【００２７】
また、カウンターウエイトを中空支柱地下部まで通らせるので、比較的高い支柱型高所設置物昇降装置を構成することが可能となるという効果を奏する。
【手続補正１２】
【補正対象書類名】明細書
【補正対象項目名】００２８
【補正方法】変更
【補正の内容】
【００２８】
さらに、該カウンターウエイトの重量は該高所設置物の重量に略等しく、該カウンターウエイトと該開口とは、該高所設置物が下限まで降下している状態で該カウンターウエイト下端部が該開口の上下端間に位置する関係にあり、かつ、該高所設置物が上限位置の状態で該カウンターウエイト上端部が該開口の上下端間に位置する関係にあるので、該開口部を介して該カウンターウエイトを把持し昇降させるだけで高所設置物を安定に昇降させることができるとともに、該開口を介して該カウンターウエイトのメンテナンスを容易に行うことができるという効果を奏する。
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】変更
【補正の内容】
【００３０】
上記第２態様の構成によれば、該バーがアクリル樹脂で形成されているので、該カウンターウエイトを昇降させる際に該バーが該中空支柱の内壁面に衝突しても、衝突音が小さくなり、かつ、長寿命でメンテナンス周期を長くできるという効果を奏する。
【手続補正１５】
【補正対象書類名】明細書
【補正対象項目名】００３１
【補正方法】変更
【補正の内容】
【００３１】
上記第３態様の構成によれば、該本体部はさらに、該開口部側の側面に、該側面の長手方向中央線に沿って該側面と平行に固着された把手長尺部材を有するので、該開口部へ少し手を挿入すれば該把手長尺部材を把持でき、これにより該カウンターウエイトの昇降操作がさらに容易になるという効果を奏する。
【手続補正１６】
【補正対象書類名】明細書
【補正対象項目名】００３２
【補正方法】変更
【補正の内容】
【００３２】
上記第４態様の構成によれば、該把手長尺部材は該本体部の該開口部側の側面から離間して配置されているので、前記把持がさらに容易になるという効果を奏する。
【手続補正１７】
【補正対象書類名】明細書
【補正対象項目名】００３３
【補正方法】変更
【補正の内容】
【００３３】
上記第５態様の構成によれば、該本体部は、その側面に固着された調整錘を有するので、異なる重量の該高所設置物に対し調整錘を変えるだけで標準的なカウンターウエイトを用いることができ、装置製作コストを低減できるという効果を奏する。
【手続補正１８】
【補正対象書類名】明細書
【補正対象項目名】００３４
【補正方法】変更
【補正の内容】
【００３４】
上記第６態様の構成によれば、該保持手段が該中空支柱内に設けられているので、見栄えの悪化が防止されるとともに、該保持手段が雨水にさらされるのを防止できるという効果を奏する。また、該カウンターウエイトを昇降させるだけで該保持手段が作動して高所設置物を上限及び下限位置に固定でき、すなわち、必要な時に該カウンターウエイトを自動的に固定することができるので、作業性がよいという効果を奏する。
【手続補正１９】
【補正対象書類名】明細書
【補正対象項目名】００３６
【補正方法】変更
【補正の内容】
【００３６】
上記第７態様の構成によれば、該本体部は、該中空支柱の４隅のそれぞれに対応して互いに平行に配置された第１〜４棒部材と、該第１〜４棒部材をそれらの上端部及び下端部のそれぞれで互いに固定する上端側固定部材及び下端側固定部材とを有するので、該カウンターウエイトへの調整錘の取付が容易であるという効果を奏する。
【手続補正２０】
【補正対象書類名】図面
【補正対象項目名】図２
【補正方法】変更
【補正の内容】
【図２】
2007320748.tif 000020